(57)【要約】【課題】  画像表示領域の外方に構成された透明領域内の光学表示部に対して、発光素子ユニットから出射される出射光を効率的に導光する。【解決手段】  前面ガラス６の背面部に導光ブラケット部材９を重ね合わせ状態で配置するとともに、この導光ブラケット部材９に形成した複数のガイド凹部４８内にそれぞれ発光ダイオード６７を臨ませて発光素子ユニット４３を配置する。発光ダイオード６７からの出射光Ｌが導光ブラケット部材９に対して垂直状態で入射されるようにする。【選択図】  図１４
2005070660.tif 000002
【特許請求の範囲】
【請求項１】
表示パネルモジュールと、
上記表示パネルモジュールの前面部に組み合わされる透明材によって形成されたパネル体からなり、外周部の近傍領域の内面に上記表示パネルモジュールの有効表示領域の外周部と全周に亘って対向することによって対応領域の内部を目隠しするとともに外周部との間に透明領域を構成する目隠し枠部を形成してなる前面ガラスと、
透明材によって全体略板状に形成され、上記目隠し枠部によって目隠しされる内側端部に形成した複数のガイド凹部と、これらガイド凹部の延長上で上記透明領域の構成領域に設けられた複数の反射部とを有し、上記前面ガラスの背面部に組み合わされる導光ブラケット部材と、
長さ方向の嵌合溝を有するチャンネル状に形成され、上記嵌合溝内に外周部を嵌合された上記前面ガラスと上記導光ブラケット部材とを保持するフレーム部材と、
複数の発光素子を有し、これら発光素子を上記各ガイド凹部内にそれぞれ臨ませるようにして上記導光ブラケット部材の背面部に配置される発光素子ユニットとを備え、
上記発光素子ユニットの上記発光素子から出射した出射光が、上記ガイド凹部から上記導光ブラケット部材の内部を導光されて上記反射部において前面側へと屈折反射されることにより、上記前面ガラスの透明領域に構成された光学表示部から露光されることを特徴とするパネル型表示装置。
【請求項２】
上記導光ブラケット部材が、少なくとも上記ガイド凹部と上記反射部との間が板状部位として構成され、上記発光素子ユニットの上記発光素子から出射した出射光が、上記ガイド凹部の先端部から垂直に入射されることを特徴とする請求項１に記載のパネル型表示装置。
【請求項３】
上記導光ブラケット部材の背面部にそれぞれ長さ方向の略全長に亘って組み合わされ、上記目隠し枠部の対向領域において上記前面ガラスの外周部近傍の内面に突き当てられる保持部と上記表示パネルモジュールを固定する取付部とが基部を介して一体に形成されたブラケット部材と、
全体略箱状に形成され、外周壁部に形成したフランジ部を上記ブラケット部材の上記取付部に取り付けて上記表示パネルモジュールの背面部を被覆するバックカバー部材とを備え、
上記ブラケット部材の取付部と上記バックカバー部材のフランジ部とが、上記導光ブラケット部材の背面部に上記目隠し枠部と対向する内側縁部に沿った近傍位置に沿って一体に形成した取付部に固定され、
上記ガイド凹部が、上記発光素子から出射した出射光を入射する先端部を上記取付部よりも外方に位置させて形成されることを特徴とする請求項１に記載のパネル型表示装置。
【発明の詳細な説明】
【技術分野】
【０００１】
本発明は、大型の表示画面を有する軽量かつ薄型の表示パネルモジュールを備えるパネル型表示装置に関する。
【背景技術】
【０００２】
パネル型表示装置は、例えばプラズマ・ディスプレィ・パネル（PDP:plasma display panel）や液晶ディスプレィ・パネル或いはエレクトリックルミネッセンスディスプレィパネル（electtro luminescent light source display panel）等の軽量、薄型表示パネルモジュールを備え、従来の陰極線管（CRT:cathode-ray tube）と比較して大型表示画面化、軽量化、薄型化を実現する。例えば、カラーＰＤＰ表示装置は、５０インチ以上の大型表示画面を実現するとともに良好な画質や壁掛け型としても使用することが可能な軽量薄型等の特徴を有しており、ハイビジョン放送やデジタルテレビジョン放送用の受信機や各種の大型ディスプレィ装置用として注目されている（特許文献１）。
【０００３】
カラーＰＤＰ表示装置は、周知のように前面フィルタパネルと、多数の放電セルが形成されたパネル体と、その背面に組み合わされた駆動部とから構成され、放電セル内に配置した電極間にパルス電圧を印加して放電により紫外線を発生させ、この紫外線を前面フィルタパネルに形成した赤、緑、青の光三原色蛍光体に照射することによりカラー発光表示が行われるようにする。カラーＰＤＰ表示装置は、カラーＣＲＴのように高電圧の駆動部を必要とせず、上述したように軽量薄型であるとともに大型の表示画面を構成することが可能であるといった特徴を有している。
【０００４】
また、従来のパネル型表示装置においては、一般に表示パネルモジュールがその表示領域を矩形開口部から外方に臨ませるようにしてベゼルと称される矩形枠状の筐体に収納され、このベゼルに対して前面ガラスとバックカバー部材が組み合わされていた。また、大型のパネル型表示装置には、一般にベゼルの表示部の両側部に、それぞれ複数のスピーカを高さ方向に並べて内蔵したスピーカボックスが組み合わされる。なお、パネル型表示装置は、スピーカボックスをスタンド装置に取り付けてスピーカユニットとして装置本体部と独立に構成したものも提供されている。
【０００５】
【特許文献１】特開２００３−１７４６９２号公報
【発明の開示】
【発明が解決しようとする課題】
【０００６】
ところで、パネル型表示装置１００においては、図１５に示すようにベゼル１０１の前面部に配置した前面ガラス１０２の内面に表示パネルモジュール１０３の実効表示領域を縁ち取るようにして所定幅を有する不透明な黒枠部１０２ａを形成し、この黒枠部１０２ａとベゼル１０１の内周部との間に透明な領域１０２ｂを構成することにより表示画像が浮き上がるように強調して表示するいわゆるフローティング表示の対応も図られている。かかるパネル型表示装置１００においては、前面ガラス１０２ばかりでなく、ベゼル１０１も例えば透明なポリカーボネート樹脂等の合成樹脂材によって成形される。
【０００７】
パネル型表示装置１００においては、透明領域１０２ｂ内に電源の投入状態や設定されている機能を光学的に表示する光学表示部を設けて表示効果をより強調するように構成される。パネル型表示装置１００においては、黒枠部１０２ａと対向してベゼル１０１に一体に形成された取付部１０１ａに発光素子ユニット１０４が取り付けられる。発光素子ユニット１０４は、取付部１０１ａに取り付けられる基板１０５と、この基板１０５に固定された複数のホルダ部材１０６と、各ホルダ部材１０６内にそれぞれ収納された発光ダイオード１０７等によって構成される。
【０００８】
パネル型表示装置１００は、ベゼル１０１が背面側に立壁部１０１ｂを一体に形成し、この立壁部１０１ｂの内面に黒枠部１０２ａと対向するようにして取付部１０１ａを形成してなる。パネル型表示装置１００においては、発光素子ユニット１０４に実装された発光ダイオード１０７がベゼル１０１の外周フランジ部１０１ｃの内周部に臨ませられるように配置されて出射光Ｌをこの外周フランジ部１０１ｃ内に入射させる。パネル型表示装置１００においては、ベゼル１０１の外周フランジ部１０１ｃに、黒枠部１０２ａから外れた透明領域１０２ｂに位置して反射部１０１ｄを形成する。パネル型表示装置１００においては、外周フランジ部１０１ｃ内に入射された出射光Ｌが、図１５に示すように反射部１０１ｄにおいて前面側へと屈折反射され、前面ガラス１０２の透明領域１０２ｂから外部へと露光される。
【０００９】
ところで、パネル型表示装置１００においては、発光ダイオード１０７がベゼル１０１の立壁部１０１ｂの立ち上がり部位の内周部に位置して外周フランジ部１０１ｃと対向して配置される。パネル型表示装置１００においては、このために発光ダイオード１０７から出射された出射光Ｌの一部Ｍが立壁部１０１ｂの立ち上がり部位において屈折されてベゼル１０１の外部へと漏出してしまう。パネル型表示装置１００においては、この漏出光Ｍが、内部においてスピーカやその他の部材に当たり透明領域１０２ｂを介して前面側からぼんやりとした状態で視認可能とさせることでフローティング表示効果を大幅に低下させてしまう。パネル型表示装置１００においては、特に暗い部屋等に設置して用いた場合に、光漏れの問題がより顕著になる。
【００１０】
パネル型表示装置１００においては、漏出光Ｍの発生を抑制するために、立壁部１０１ｂの立ち上がり部位に遮光層１０８を形成する対応が図られる。パネル型表示装置１００においては、このために遮光層１０８の成膜工程を必要としてコストアップとなるばかりでなく充分な漏出作用も達成されないといった問題があった。パネル型表示装置１００においては、ベゼル１０１からの光漏れによる光量低下によって、光学表示部における表示効率が低下するといった問題があった。
【００１１】
一方、パネル型表示装置においては、表示パネルモジュールから高レベルの電磁波が放射されるために電磁波遮蔽（Electromagnetic Shield）の対応が図られる。パネル型表示装置は、例えば前面ガラスの内面に電磁波遮蔽層を形成するとともに、この電磁波遮蔽層と金属製のバックカバー部材とを導通させて表示パネルモジュールをシールド空間内に収納する対応が図られる。パネル型表示装置においては、一般にベゼルの内面にアース構造を設けることによって前面ガラスの電磁波遮蔽層とバックカバー部材との導通が行われており、所定幅の枠部が必要となっていた。従来のパネル型表示装置においては、このために太枠のベゼルの内周部に上述した目隠し枠部を形成した場合に、前面部において表示パネルモジュールの実効表示領域の割合が小さくなり表示効率が悪くなってしまうといった問題があった。
【００１２】
また、パネル型表示装置においては、ベゼルが、表示パネルモジュールの支持機能とともに外装機能を奏し、さらに表示パネルモジュールの実効表示領域を縁ち取りすることによって外周部を目隠しする機能等も有している。したがって、パネル型表示装置においては、ベゼルが、ＣＲＴと比較して軽量ではあるがある程度の重量を有する表示パネルモジュールを保持するための充分な機械的強度と良好な仕上がり精度を以って形成されなければならない。パネル型表示装置においては、一般にベゼルに表示パネルモジュールや前面ガラスの取付部等を一体に形成した複雑な形状であり、軽量化を図るために合成樹脂材によって成形されている。
【００１３】
従来のパネル型表示装置においては、このために大型になるほどベゼルもその厚みや幅が大きくなってしまうために、薄型の表示パネルモジュールを用いるにもかかわらず全体的に厚み感を印象付けるといった問題があるとともに上述した表示効率をさらに低下させてしまう。また、パネル型表示装置においては、大型化に伴ってベゼルの形状も大きくなり、組立時のハンドリング性が悪くなって組立効率を低下させるといった問題があった。
【００１４】
パネル型表示装置においては、かかるベゼルを高性能で大型製品の成形を可能とする成型機と、高精度でかつ複雑な構造の成形金型とを用いて成形する。しかしながら、現状においては、例えば３０インチ以上もの大型表示画面を有するパネル型表示装置用の透明なベゼルを高精度に成形することが可能な成型機が提供されておらず、また成形金型を加熱しながら充分な時間をかけることによって精密成形を行う特殊な成形工程が採用されている。しかしながら、かかる成形工程においても、ウェルドラインの目立たない高精度の仕上がりを有するベゼルの成形が困難であるために成形効率や歩留りも悪く、成形金型が極めて高額であるためにコストが高くなるといった問題があった。
【００１５】
したがって、本発明は、フローティング表示構造の特徴を踏襲し、画像表示領域の外方に構成された透明領域内に電源の投入状態や機能設定状態を光学的に表示する光学表示部に対して、発光素子ユニットから出射される出射光を内部において光漏れを生じることなく導光して表示効率の向上を図るパネル型表示装置を提供することを目的に提案されたものである。
【課題を解決するための手段】
【００１６】
上述した目的を達成する本発明にかかるパネル型表示装置は、表示パネルモジュールと、前面ガラスと、導光ブラケット部材と、フレーム部材と、発光素子ユニットとを備え、画像表示領域を目隠し枠部によって縁ち取るとともにその外方に透明領域を構成していわゆるフローティング表示を行う。前面ガラスは、表示パネルモジュールの前面部に組み合わされる透明材によって形成されたパネル体からなり、外周部の近傍領域の内面に表示パネルモジュールの有効表示領域の外周部と全周に亘って対向することによって対応領域の内部を目隠しするとともに外周部との間に透明領域を構成する目隠し枠部を形成してなる。導光ブラケット部材は、透明材によって全体略板状に形成され、内側端部に複数のガイド凹部を設けるとともにこれらガイド凹部とそれぞれ対向する反射部が設けられ、前面ガラスの透明領域と対向してその背面部に組み合わされる。フレーム部材は、長さ方向の嵌合溝を有するチャンネル状に形成され、この嵌合溝内に外周部を嵌合された前面ガラスと導光ブラケット部材とを保持する。発光素子ユニットは、複数の発光素子を有し、これら発光素子を各ガイド凹部内にそれぞれ臨ませるようにして導光ブラケット部材の背面部に配置される。
【００１７】
パネル型表示装置においては、相対するガイド凹部に臨ませられた発光素子ユニットユニットの各発光素子からそれぞれ出射された出射光が、導光ブラケット部材の内部に入射されて導光される。パネル型表示装置においては、導光ブラケット部材内を導光された出射光が反射部において前面側へと屈折反射され、前面ガラスの透明領域に構成された光学表示部から露光される。パネル型表示装置においては、透明領域において浮き上がった状態で光輝する光点によって電源の投入状態や各種機能の設定状態が表示される。
【発明の効果】
【００１８】
以上のように構成された本発明にかかるパネル型表示装置によれば、前面ガラスの背面部に導光ブラケット部材を重ね合わせ状態で配置するとともに、この導光ブラケット部材に形成した複数のガイド凹部内に各発光素子を臨ませて発光素子ユニットを配置するようにしたことから、各発光素子から出射される出射光が周囲に光漏れすることなく導光ブラケット部材の内部へと効率的に入射されるとともに、この導光ブラケット部材から外方に漏出することなく光学表示部へと導光される。したがって、パネル型表示装置によれば、出射光の導光経路に沿って光漏れを防止する構造を不要とし、透明領域に構成した光学表示部において所定の動作機能の設定状態等が充分な光量を以って光点表示することが可能となる。また、パネル型表示装置においては、内部において出射光の光漏れが抑制されることで、内部の部品に光が当たって見えてしまうために表示効果が損なわれるといった不都合の発生が防止される。
【発明を実施するための最良の形態】
【００１９】
以下、本発明の実施の形態として図面に示したパネル型表示装置（以下、表示装置と略称する。）１について詳細に説明する。表示装置１は、カラー・プラズマ・ディスプレィ・パネル（以下、カラーＰＤＰと称する。）２が表示パネルモジュールとして用いられ、大型画面化と薄型化を図ったテレビジョン受像機である。表示装置１は、図１に示すように正面形状が横長矩形を呈する表示装置本体部３の左右側面部にそれぞれスピーカボックス４Ａ，４Ｂが組み合わされるとともに、この表示装置本体部３がスタンド部材５によって支持される。表示装置１は、詳細を後述するようにカラーＰＤＰ２の前面部に前面ガラス６が重ね合わせ状態で配置され、この前面ガラス６の内面に黒色セラミックプリントを施して形成した横長矩形の目隠し枠部６ａによってカラーＰＤＰ２の有効表示画面領域Ｐが縁ち取られてなる。
【００２０】
表示装置１は、詳細を後述するように前面ガラス６の上辺部と下辺部とを保持する第１化粧フレーム部材７と第２化粧フレーム部材８と、表示装置本体部３の左右に配置して前面ガラス６の両側辺部を保持するスピーカボックス４Ａ，４Ｂとにより前面パネル部位の外周部を保持する全体枠状の支持体を構成する。表示装置１は、詳細を後述するように前面ガラス６の下辺部の背面に導光ブラケット部材９を重ね合わせて目隠し枠部６ａの下辺部と第２化粧フレーム部材８との間に透明領域１０を構成し、この透明領域１０がカラーＰＤＰ２の有効表示画面領域Ｐを浮き上がらせるようにしてフローティング表示が行われるようにする。表示装置１は、透明領域１０の一部に、導光ブラケット部材９を導光部材として電源の投入状態や各モードの設定状態等を光学的に表示する光学表示部１１が設けられている。
【００２１】
表示装置１は、図２に示すように第１化粧フレーム部材７に対してその背面部に組み合わされる第１ブラケット部材１２と、第２化粧フレーム部材８と導光ブラケット部材９とに対してそれらの背面部に組み合わされる第２ブラケット部材１３とを備え、これらの各部材によって前面ガラス５の上下外周部を保持する保持部材を構成する。表示装置１は、図３及び図４に示すようにスピーカボックス４Ａ，４Ｂに高さ方向の嵌合溝１４Ａ，１４Ｂが設けられており、これら嵌合溝１４Ａ，１４Ｂ内に第３ブラケット部材１５と第４ブラケット部材１６とが組み付けられ、これら部材によって前面ガラス５の両側外周部を保持する保持部材を構成する。
【００２２】
表示装置１は、図２に示すように背面部において、第１ブラケット部材１２と第２ブラケット部材１３とがそれぞれの両端部を第３ブラケット部材１５と第４ブラケット部材１６とに固定され、これら各ブラケット部材が枠状体を構成する。表示装置１は、図２に示すように枠状体に組み合わされた第１ブラケット部材１２、第２ブラケット部材１３、第３ブラケット部材１５及び第４ブラケット部材１６を取付部材として、バックカバー部材１７と基板ブラケット部材１８とが組み合わされる。
【００２３】
カラーＰＤＰ２は、図５及び図６に示すように、パネル部１９と、このパネル部１９の前面に積層状態で一体化された透明な合成樹脂材によって成形されたフィルタパネル２０と、パネル部１９の背面部に設けられた駆動回路部２１とから構成される。カラーＰＤＰ２は、詳細を省略するが、パネル部１９が絶縁材によって薄厚のブロック状に形成されたパネル体からなり、このパネル体の内部に前面側を開放して多数の放電セルが例えばマトリックス状に配列して形成されてなる。カラーＰＤＰ２は、パネル部１９の各放電セル内にそれぞれ電極が形成され、駆動回路部２１から各電極に対してパルス電圧が選択的に印加される。
【００２４】
カラーＰＤＰ２は、パルス電圧を印加されることによって電極間の放電により発生した紫外線を放電セル内から出射する。カラーＰＤＰ２は、フィルタパネル２０の内面に赤，緑，青の光三原色蛍光層が形成されており、この蛍光層を放電セル内から出射された紫外線が照射することによってカラー発光表示が行われる。カラーＰＤＰ２は、フィルタパネル２０がパネル部１９よりも大形とされ、詳細を省略するが外周部に上述した第１ブラケット部材１２、第２ブラケット部材１３、第３ブラケット部材１５及び第４ブラケット部材１６に対して取り付ける取付部が形成されている。
【００２５】
なお、表示装置１は、上述した構成のカラーＰＤＰ２に限定されるものではなく、種々の構造のカラーＰＤＰを用いることが可能である。また、表示装置１は、カラーＰＤＰに代えて、例えば液晶ディスプレィ・パネルやエレクトリックルミネッセンスディスプレィパネル等の表示パネルモジュールを用いることも可能である。
【００２６】
スピーカボックス４Ａ，４Ｂは、左右対称形に形成されており、図５を参照して左側のスピーカボックス４Ａの構成を代表して説明する。スピーカボックス４は、詳細を省略するがカバーシート２２と前面パネル２３とボックス本体部２４とを組み合わせてなる。スピーカボックス４には、ボックス本体部２４の内部に高さ方向に並んで高音用スピーカ２６と中音用スピーカ２７と低音用スピーカ２８とが内蔵されている。スピーカボックス４は、前面パネル２３に各スピーカ２６乃至２８にそれぞれ対向して放音孔が形成されるとともに、カバーシート２２が組み合わされて防塵或いはデザイン対応が図られる。
【００２７】
スピーカボックス４は、ボックス本体部２４に対して前面パネル２３が突き合わされて一体化されるが、この突き合わせ部位の表示装置本体部３と対向する側面部に高さ方向のの全域に亘って開口するようにして上述した嵌合溝１４が構成される。嵌合溝１４は、詳細を省略するが各放音孔に対して隔壁によって仕切られており、スピーカボックス４の上面及び底面において側面方向に凹部を形成するように延長される。嵌合溝１４は、図４に示すようにこれら凹部に第１化粧フレーム部材７の端部８ａ，８ｂと第２化粧フレーム部材８の端部９ａ，９ｂがそれぞれ同一面を構成するようにして嵌合する。
【００２８】
スピーカボックス４は、詳細を省略するが前面パネル２３の内面に、嵌合溝１４に臨んで多数個の取付部が高さ方向に並んで一体に形成されている。スピーカボックス４は、第３ブラケット部材１５と第４ブラケット部材１６とをそれぞれ各取付部を介して前面パネル２３に取り付けることによって、嵌合溝１４内に高さ方向の略全長に亘って組み合わせる。スピーカボックス４は、後述するように前面ガラス６の両側部を高さ方向の略全長に亘って嵌合溝１４内において保持する。なお、スピーカボックス４は、ボックス本体部２４に取付部２４ａ，２４ｂ（例えば図２及び図５参照）が適宜形成され、これら取付部２４ａ，２４ｂを介して表示装置本体部３やバックカバー部材１７に固定される。
【００２９】
前面ガラス６は、ガラスばかりでなく例えば透明なポリカーボネート樹脂やアクリル樹脂等の樹脂材によって上述したカラーＰＤＰ２のフィルタパネル２０よりも大形に成形されてなる。前面ガラス６には、詳細を省略するが表面全体に、傷付きを防止するとともに外光の反射を防止して外部光の影響を低減して良好な画像表示が行われるようにする反射防止フィルムが接合されている。また、前面ガラス６には、詳細を省略するが内面に赤外線吸収フィルムが接合されている。
【００３０】
前面ガラス６には、図１１及び図１２に示すように、電磁波遮蔽の対応を図るために内面のほぼ全面に電磁遮蔽層２９が形成されている。電磁遮蔽層２９は、例えば前面ガラス６の内面に銅箔層を形成し、この銅箔層に対してフォトエッチング処理を施すことによって形成された銅細線メッシュ層からなる。電磁遮蔽層２９は、後述するように第１ブラケット部材１２、第３ブラケット部材１５或いは第４ブラケット部材１６を介してバックカバー部材１７と電気的接続が図られることにより、カラーＰＤＰ２がシールド空間内に収納されるようにする。
【００３１】
前面ガラス６には、上述したように内面に目隠し枠部６ａが形成されている。目隠し枠部６ａは、詳細を後述するように内周部がカラーＰＤＰ２の有効表示画面領域Ｐの外周部と対向するとともに、下片部を除くその他の外周部位が前面ガラス６の外周部に延在する幅を以って形成されている。したがって、目隠し枠部６ａは、第１化粧フレーム部材７やスピーカボックス４Ａ，４Ｂの背面部に組み付けられた第１ブラケット部材１２、第３ブラケット部材１５或いは第４ブラケット部材１６や、バックカバー部材１７の取付部位を前面側から視認されないようにする。
【００３２】
目隠し枠部６ａは、詳細を後述するように各ブラケット部材とバックカバー部材１７との取付構造やこのバックカバー部材１７の形状によって従来装置と比較して幅狭に形成される。目隠し枠部６ａは、幅狭とすることによって表示面の実効的な面積効率の向上を図るようにするとともに、厚みのバラツキが無く精度の高いプリントが可能となる。
【００３３】
第１化粧フレーム部材７は、例えばアルミ等の金属材によって、前面ガラス６の長手方向の長さとほぼ等しい全長を有するバー状の長尺部材に形成される。第１化粧フレーム部材７は、上述したように外装材を構成することから、ヘアーライン処理やアルマイト（商品名）処理等の表面処理が施される。第１化粧フレーム部材７は、図７に示すように天井部３０と、この天井部３０の幅方向の両端部に沿って全長に亘って直角に折曲されることにより一体に形成された相対する前面壁部３１と保持壁部３２とからなるチャンネル状を呈しており、前面壁部３１と保持壁部３２との間に所定の幅を有する嵌合溝３３を構成してなる。
【００３４】
なお、第１化粧フレーム部材７は、天井部３０の両端部を庇状に突出することにより、スピーカボックス４の嵌合溝１４と嵌合する上述した端部８ａ，８ｂを構成する。第１化粧フレーム部材７は、これら端部８ａ，８ｂに取付孔を形成し、スピーカボックス４にねじ止めするように構成してもよい。
【００３５】
第１化粧フレーム部材７は、図８に示すように前面壁部３１に対して保持壁部３２が幅広に形成されている。第１化粧フレーム部材７には、同図（Ａ）に示すように保持壁部３２に多数の取付孔３４が形成され、これら取付孔３４を介して第１ブラケット部材１２がその背面部に沿って取り付けられるようにする。第１化粧フレーム部材７には、保持壁部３２の背面部に、同図（Ｂ）に示す位置決め凸部３５が複数箇所に形成されるとともに同図（Ｃ）に示す位置決め凹部３６が複数箇所に形成され、第１ブラケット部材１２が位置決めされて取り付けられるようにする。
【００３６】
以上のように構成された第１化粧フレーム部材７には、図８（Ｃ）に示すように、前面壁部３１を前面側に位置させて、嵌合溝３３内に前面ガラス６の上辺部が全長に亘って嵌合される。第１化粧フレーム部材７は、上述したように前面壁部３１に対して保持壁部３２を幅広に形成することによって、前面側において枠体の幅広感を与えないようにするとともに背面側において前面ガラス６をしっかりと保持することによって上辺部の保持部材を構成する。第１化粧フレーム部材７は、前面ガラス６の目隠し枠部６ａによって幅広の保持壁部３２が目隠しされることで、上述した取付孔３４や、位置決め凸部３５或いは位置決め凹部３６、さらに第１ブラケット部材１２が前面側から視認されることは無い。
【００３７】
第２化粧フレーム部材８も、例えばアルミ等の金属材によって前面ガラス６の長手方向の長さとほぼ等しい全長を有するバー状の長尺部材に形成されるとともに、ヘアーライン処理やアルマイト（商品名）処理等の表面処理が施される。第２化粧フレーム部材８は、図８に示すように底面部３７と、この底面部３７の幅方向の両端部に沿って全長に亘って直角に折曲されることにより一体に形成された相対する前面壁部３８と保持壁部３９とからなるチャンネル状を呈しており、前面壁部３８と保持壁部３９との間に所定の幅を有する嵌合溝４０を構成してなる。
【００３８】
第２化粧フレーム部材８には、図９（Ｂ）や同図（Ｄ）に示すように保持壁部３９に多数の取付孔４１が形成されるとともに、保持壁部３９の内面部に、同図（Ｃ）に示すように位置決め凸部４２が形成される。なお、第２化粧フレーム部材８は、上述したようにフローティング表示を行うために前面ガラス６の下辺部に沿って透明領域１０が構成されることから、保持壁部３９が前面側から視認されないように前面壁部３８とほぼ同幅に形成されている。また、第２化粧フレーム部材８も、底面部３７の両端部が庇状に突出されており、スピーカボックス４の嵌合溝１４と嵌合する上述した端部９ａ，９ｂを構成する。
【００３９】
以上のように構成された第２化粧フレーム部材８には、図９（Ｃ）や同図（Ｄ）に示すように、前面壁部３８を前面側に位置させて、嵌合溝４０内に重ね合わせ状態とされた前面ガラス６と導光ブラケット部材９とがそれぞれの下辺部を全長に亘って嵌合される。第２化粧フレーム部材８には、その背面部に沿って導光ブラケット部材９を介して第２ブラケット部材１３が取り付けられる。
【００４０】
導光ブラケット部材９は、例えば透明なポリカーボネート樹脂やアクリル樹脂等の樹脂材によって前面ガラス６の長手方向の長さとほぼ等しい全長を有する全体略板状の長尺部材に成形されてなる。導光ブラケット部材９は、上述したように表示面の下辺部においてフローティング表示を行うための透明領域１０を構成するとともに、その一部が光学表示部１１として構成されて後述するように発光素子ユニット４３から出射される出射光Ｌを導光する導光部材として機能する。
【００４１】
導光ブラケット部材９は、その幅が前面ガラス６の下辺部から目隠し枠部６ａの内周部までの間隔よりもやや幅狭とされ、外側の側端部９ａが上述した第２化粧フレーム部材８の嵌合溝４０に前面ガラス６とともに嵌合される。導光ブラケット部材９には、その内面に、図９に示すように内側の側端部９ｂに沿って多数個の取付ボス４４が一体に形成されている。
【００４２】
導光ブラケット部材９には、その内面に、図９（Ａ）に示すように内側端部９ｂから所定の間隔を以って長さ方向の補強リブ４５，４６が一体に立設されている。導光ブラケット部材９は、これら補強リブ４５，４６によって厚み方向の強度が向上され、薄厚に成形した場合でも長さ方向の撓みの発生が抑制されるようにする。また、補強リブ４５は、後述するように導光ブラケット部材９の背面部において組み合わされるバックカバー部材１７の開口縁が突き当てられることによって、その組合せ位置を規定する。なお、導光ブラケット部材９は、内側端側の補強リブ４５が各取付ボス４４間を連設するように形成されるとともに、各取付ボス４４と外側端側の補強リブ４６間も直交リブによって連設することで各取付ボス４４の強度向上が図られている。
【００４３】
導光ブラケット部材９には、発光素子ユニット４３の組付部４７が一体に形成されている。組付部４７は、光学表示部１１に対向して内側端部９ｂから切り込まれるように形成された複数のガイド凹部４８と、これらガイド凹部４８の延長上に位置して内面にそれぞれ形成された反射凹部４９と、ガイド凹部４８を跨いで内面に一体に形成された複数の取付ボス５０とから構成される。各ガイド凹部４８は、それぞれ底部が補強リブ４６を超えて切り込まれるようにして形成された略Ｕ字状の凹部からなり、発光素子ユニット４３から出射される出射光Ｌの入射部を構成する。
【００４４】
反射凹部４９は、内側端部９ｂ側から外側端部９ａ側に向かって次第に大きな深さとされるとともに外側端部９ａ側を垂直面としたガイド凹部４８側からと対向する内面を垂直壁とした断面形状が直角三角形の凹部からなり、底面部が４５°の傾斜角を有する反射面５３を構成する。反射凹部４９は、詳細を図１４を参照して後述するが、ガイド凹部４８の底部から入射されて導光ブラケット部材９内を導光される出射光Ｌを反射面５３において９０°屈折して前面側へと導光する。
【００４５】
なお、導光ブラケット部材９には、ガイド凹部４８に並んでリモートコントローラから出射される赤外線信号の受光部を構成する受光凹部５１も形成されている。また、導光ブラケット部材９は、組合せ状態において上述したスピーカボックス４の嵌合溝１４と嵌合される両端部位がやや肉厚とされて取付部９ｃを構成する。導光ブラケット部材９には、この取付部９ｃに複数の取付孔５２が形成されている。導光ブラケット部材９には、図示しないが、各反射凹部４９と対向して表面側に機能を表示する表示部がプリントされている。
【００４６】
表示装置１には、上述したように第１化粧フレーム部材７と第２化粧フレーム部材８とにそれぞれ第１ブラケット部材１２と第２ブラケット部材１３とが組み合わされ、左右のスピーカボックス４Ａ，４Ｂにそれぞれ第３ブラケット部材１５と第４ブラケット部材１６とが組み合わされる。第１ブラケット部材１２と第２ブラケット部材１３は、互いに同長であり、同長の第３ブラケット部材１５と第４ブラケット部材１６よりも長尺である。各ブラケット部材１２，１３，１５，１６は、細部の構造を多少異にしてはいるが、基本的な形状をほぼ同等にして形成される。したがって、以下、図１０に示した第２ブラケット部材１３を代表して説明することにより、他のブラケット部材１２，１５，１６の説明を省略する。
【００４７】
第２ブラケット部材１３は、例えばステンレス材や鋼材によって前面ガラス６の長手方向の長さとほぼ等しい全長を有するバー状の長尺部材に形成される。なお、第１ブラケット部材１２も、前面ガラス６の長手方向の長さとほぼ等しい全長を有して形成されるが、第３ブラケット部材１５と第４ブラケット部材１６は前面ガラス６の幅方向の長さとほぼ等しい全長を有して形成される。
【００４８】
第２ブラケット部材１３は、一体に形成された基部５４と、保持部５５と、第１取付部５６及び第２取付部５７とからなる。第２ブラケット部材１３は、図１０に示すように板状の基部５４の一側縁に沿って長さ方向の全長に亘って直角に折曲する曲げ加工が施されることによって保持部５５が一体に形成される。保持部５５は、後述するように前面ガラス６に対してその内面の外周部近傍に突き当てられて前面ガラス６を保持する。また、保持部５５は、この状態で前面ガラス６の内面に形成した電磁遮蔽層２９に圧接されて電気的に導通される。
【００４９】
第２ブラケット部材１３は、基部５４の一側縁に沿って長さ方向の全長に亘って直角に折曲する曲げ加工が施されることによって第１取付部５６が一体に形成される。第２ブラケット部材１３は、この第１取付部５６を、基部５４に対してその曲げ方向が保持部５５の曲げ方向と逆方向とすることにより、図１０（Ｃ）に示すように断面略クランク状を呈して形成される。第２ブラケット部材１３は、この第１取付部５６が後述するようにバックカバー部材１７の取付部を構成する。
【００５０】
第２ブラケット部材１３は、第１取付部５６から基部５４に跨って幅方向に一対のスリットを形成し、このスリットの間の切残し片を折曲することによって第２取付部５７を形成してなる。第２ブラケット部材１３は、第２取付部５７が複数箇所に形成されており、後述するように基板ブラケット部材１８の取付部を構成する。
【００５１】
表示装置１においては、後述するように第２化粧フレーム部材８を介して前面ガラス６に重ね合わされた導光ブラケット部材９に対してその背面部に第２ブラケット部材１２が固定される。したがって、第２ブラケット部材１２は、第１取付部５６や第２取付部５７が導光ブラケット部材９に一体に形成した取付ボス４４に対して固定され、導光ブラケット部材９を介して前面ガラス６の背面部に配置されて保持部５５が電磁遮蔽層２９と接合される。
【００５２】
一方、第１ブラケット部材１２は、前面ガラス６が第１化粧フレーム部材７の嵌合溝３３内で挟持されることで、保持壁部３２を第１取付部５６或いは第２取付部５７に直接固定する。また、第３ブラケット部材１５と第４ブラケット部材１６は、スピーカボックス４のボックス本体部２４に形成した取付部に第１取付部５６或いは第２取付部５７が固定される。
【００５３】
バックカバー部材１７は、例えばアルミ等の軽量金属材にプレス加工を施して前面ガラス６の外形よりもやや小さな口径の開口部を有する全体略有底箱状に形成される。バックカバー部材１７は、後述するように開口部位を各ブラケット部材１２，１３，１５，１６に固定されることによって、前面ガラス６の電磁遮蔽層２９と共同してカラーＰＤＰ２をシールド空間内に収納する。
【００５４】
バックカバー部材１７には、詳細を省略するが電源コードやアンテナケーブルを接続するコネクタや入出力端子部を外方に臨ませる開口部が適宜形成され、また放熱用の多数個の小孔や補強リブ等が形成されている。バックカバー部材１７は、外周壁部５８が背面部に対して略垂直状態で立ち上がり形成されるとともに、カラーＰＤＰ２等の内蔵部品との間に絶縁を保持するに足る最小クリアランスとするようにして形成されている。バックカバー部材１７は、従来の金属材への深絞り加工からプレス曲げ加工によって形成することから、加工コストが大幅に低減されるとともに比較的自由な形状とすることが可能でありかつ部品精度も向上される。
【００５５】
バックカバー部材１７には、外周壁部５８の開口縁に全周に亘って取付フランジ部５９が一体に折曲形成されている。バックカバー部材１７は、この取付フランジ部５９が枠状に組み合わされた各ブラケット部材１２，１３，１５，１６の第１取付部５６に重ね合わされるに足るようにして形成される。取付フランジ部５９には、第１取付部５６に形成した取付孔５８や導光ブラケット部材９に形成した取付ボス４４に対向して、図示しないが多数個の取付孔が形成されている。
【００５６】
バックカバー部材１７には、図１１及び図１２に示すように、取付フランジ部５９の先端部から前面側へと立ち上がるように折曲されて突当て端部６０が折曲形成されている。突当て端部６０は、バックカバー部材１７が各ブラケット部材１２，１３，１５，１６と組み合わされた状態において、導光ブラケット部材９に形成した補強リブ４６の外周面に突き当てられる。
【００５７】
基板ブラケット部材１８は、カラーＰＤＰ２の背面側に組み合わされ、詳細を省略するがカラーＰＤＰ２の制御回路や、受信電波を処理する入出力回路、チューナ回路、信号処理回路等の回路部６１が搭載される。基板ブラケット部材１８には、上述した各ブラケット部材１２，１３，１５，１６に形成した第２取付部５８に対向して複数の取付片部６２が外周部に一体に形成されている。基板ブラケット部材１８は、後述するようにバックカバー部材１７とともに取付ねじ６４によって各ブラケット部材１２，１３，１５，１６の第２取付部５８に固定される。
【００５８】
発光素子ユニット４３は、発光表示部１１に対向して基板ブラケット部材１８に形成した取付部にそれぞれ取り付けられる。発光素子ユニット４３は、基板ブラケット部材１８側と適宜電気的に接続されて取り付けられる取付基板６５と、この取付基板６５に実装された複数個のホルダ部材６６及び複数個の発光ダイオード６７と、受光素子６８とを備える。なお、発光素子ユニット４３は、表示装置１に設けられる各発光表示部１１に対応して複数が設けられる。発光素子ユニット４３は、各機能毎に発光表示部１１を異なる色調の光点で表示させるように、発光ダイオード６７が例えば緑色や赤色の異なる色調の出射光Ｌを出射する。
【００５９】
取付基板６５には、図１４に示すようにホルダ部材６６を位置決めして組み付ける取付孔６５ａや位置決め孔６５ｂが形成されている。取付基板６５は、基板ブラケット部材１８に対して、前面ガラス６と平行に対峙するようにして取り付けられる。勿論、取付基板６５は、前面ガラス６に形成した目隠し枠部６ａにより前面側から目隠しされるようにして基板ブラケット部材１８に取り付けられる。
【００６０】
各ホルダ部材６６は、黒色等の遮光特性を有する樹脂材によって一体に成形され、楔状のロック片６６ａや位置決め凸部６６ｂが形成されるとともに、発光ダイオード６７を収納保持する収納部６６ｃと、発光ダイオード６７から出射された出射光Ｌを絞り込んで出射する円形の出射孔６６ｄ等を有している。ホルダ部材６６は、ロック片６６ａを取付孔６５ａに嵌合するとともに位置決め凸部６６ｂを位置決め孔６５ｂに嵌合することによって、取付基板６５に取り付けられる。ホルダ部材６６は、この状態で出射孔６６ｄが導光ブラケット部材９の各ガイド凹部４８内に組み合わされるとともにこの出射孔６６ｄがガイド凹部４８の先端部に近接して対向する。
【００６１】
各ホルダ部材６６には、収納部６６ｃ内に出射面を出射孔６６ｄに向けてそれぞれ発光ダイオード６７が収納保持される。各発光ダイオード６７は、収納部６６ｃの内周壁によって外周部を保持されてその内部空間に収納され、この収納部６６ｃの開口部側から引き出したリードが取付基板６５に形成したランドと接続される。各発光ダイオード６７は、取付基板６５に形成したパターンを介して回路部６１から駆動電圧の供給を受ける。発光ダイオード６７は、駆動電圧が印加されることによって発光し、出射孔６６ｄから出射光Ｌをする出射する。出射光Ｌは、ガイド凹部４８の先端部から導光ブラケット部材９の内部へと導光され、反射面５３で屈折されて前面ガラス６の内面を照射することでその部位を光輝させる。
【００６２】
表示装置１においては、上述したように前面ガラス６が、上辺部を第１化粧フレーム部材７によって挟持されるとともに、この第１化粧フレーム部材７の背面部に第１ブラケット部材１２が固定される。表示装置１においては、第１ブラケット部材１２が前面ガラス６に形成した電磁遮蔽層２９と電気的に導通されるとともに、バックカバー部材１７と基板ブラケット部材１８の上辺部位をそれぞれ固定する。表示装置１においては、前面ガラス６が、両側辺部を各スピーカボックス４の嵌合溝１４内に嵌合され、各スピーカボックス４に組み付けた第３ブラケット部材１５と第４ブラケット部材１６が前面ガラス６に形成した電磁遮蔽層２９と電気的に導通される。表示装置１においては、これら第３ブラケット部材１５と第４ブラケット部材１６に対して、バックカバー部材１７と基板ブラケット部材１８の左右側辺部位をそれぞれ固定する。
【００６３】
表示装置１においては、上述したように前面ガラス６の下辺部に透明領域１０が形成される。したがって、表示装置１においては、図１１及び図１２に示すように電磁遮蔽層２９に圧接される第２ブラケット部材１３の保持部５６や、この第２ブラケット部材１３を介して取り付けられるバックカバー部材１７と基板ブラケット部材１８の取付部位が、目隠し枠部６ａによって目隠しされて外部から視認されないように構成されている。
【００６４】
表示装置１においては、上述したように導光ブラケット部材９の内側端部９ｂに沿って取付ボス４４を形成したことによってバックカバー部材１７や基板ブラケット部材１８の取付部がカラーＰＤＰ２の外周部に近接した位置で行われるようになる。表示装置１においては、透明な合成樹脂材で成形した導光ブラケット部材９に補強リブ４５、４６を形成したことによって、機械的強度が充分に保持されてバックカバー部材１７や基板ブラケット部材１８が取り付けられるようになる。
【００６５】
また、表示装置１においては、上述したようにバックカバー部材１７が金属材にプレス曲げ加工を施して外周壁部５８を略垂直壁として形成したことにより、カラーＰＤＰ２の外周部に近接された構造となっている。したがって、表示装置１においては、目隠し枠部６ａの幅Ｗを従来と比較して２０％程度幅狭に形成することが可能となった。なお、表示装置１においては、前面ガラス６の下辺部においてのみ目隠し枠部６ａの外周部に透明領域１０を形成してフローティング表示構造を採用したが、例えば全周に亘って透明領域１０を形成する場合には、上述した導光ブラケット部材９を用いた構成を採用すればよい。
【００６６】
表示装置１においては、前面ガラス６の透明領域１０に光学表示部１１が設けられており電源の投入状態等を光点表示する。表示装置１においては、発光ダイオード６７から出射された出射光Ｌが導光ブラケット部材９内において光漏れを抑制されて効率的に導光されるように構成される。表示装置１においては、図１３及び図１４に示すように、前面ガラス６の背面に導光ブラケット部材９が重ね合わされるとともに第２化粧フレーム部材８によってこの重ね合わせ状態が保持される。表示装置１においては、基板ブラケット部材１８に発光素子ユニット４３が取り付けられ、この状態で各ホルダ部材６６が導光ブラケット部材９のガイド凹部４８内に臨ませられる。
【００６７】
表示装置１においては、各ホルダ部材６６の出射孔６６ａが相対するガイド凹部４８の先端部に近接して対向しており、この出射孔６６ａから出射された発光ダイオード６７の出射光Ｌが導光ブラケット部材９の内部へと直接導光される。表示装置１においては、ガイド凹部４８の先端部が補強リブ４５，４６よりも内方へと切り込んだ状態で形成されており、出射光Ｌを導光ブラケット部材９の変形部位の無い板状部位内を導光するようにして拡散の発生を抑制している。また、表示装置１においては、出射光Ｌが導光ブラケット部材９の端面から垂直な状態で入射されるようにする。
【００６８】
表示装置１においては、図１４矢印で示すように、出射光Ｌが導光ブラケット部材９内を導光されて光学表示部１１と対向する内面に形成した反射面５３に達して反射される。表示装置１においては、上述したように反射面５３が入射方向に対して４５°の傾斜角を有する傾斜面として形成したことから、この反射面５３において出射光Ｌを進行方向に対して９０°屈折することによって前面側へと導光する。表示装置１においては、出射光Ｌが導光ブラケット部材９を介して前面ガラス６に導光されて光学表示部１１においてスポット的な光点表示を行うようにする。
【００６９】
表示装置１においては、上述したように各発光ダイオード６７からの出射光Ｌが光漏れを生じることなく導光ブラケット部材９内へと効率的に導光されるとともに、この導光ブラケット部材９内においても光漏れを生じることなく安定した状態で導光する。したがって、表示装置１においては、透明領域１０に構成された光学表示部１１において所定の動作機能の設定状態等が充分な光量を以って光点表示されるようになる。また、表示装置１においては、上述したように内部において出射光Ｌの光漏れが抑制されることで、内部の部品に光が当たって見えてしまうために表示効果が損なわれるといった不都合の発生が防止される。
【００７０】
表示装置１においては、嵌合溝１４を有する各スピーカボックス４に第３ブラケット部材１５と第４ブラケット部材１６とを組み付けるとともに前面ガラス６を保持するように構成したが、各スピーカボックス４を取り外してスピーカスタンドに設置して用いることも可能である。表示装置１においては、この場合に前面ガラス６に対してその両側辺部を保持するサイド化粧フレーム部材が組み付けられる。
【００７１】
サイド化粧フレーム部材は、前面ガラス６の高さ（幅）とほぼ同長とされ、上述した第１化粧フレーム部材７とほぼ同形状に形成された化粧フレーム部材が用いられる。また、サイド化粧フレーム部材は、前面ガラス６の両側辺部にも透明領域を構成する場合に、上述した第２化粧フレーム部材８とほぼ同形状に形成された化粧フレーム部材と導光ブラケット部材９とほぼ同形状に形成された導光ブラケット部材とが組み合わされる。
【００７２】
表示装置１は、基板ブラケット部材１８に受信電波を処理する入出力回路やチューナ回路の回路部６１を搭載したテレビジョン受像機を示したが、例えば大型のモニタ装置であってもよいことは勿論である。
【００７３】
表示装置１においては、表示面の下辺部に沿って構成した透明領域１０に発光表示部１１を構成するようにしたが、例えば上辺部やスピーカボックス４との間に透明領域を構成して発光表示部を設けるようにしてもよい。表示装置１においては、上述した前面ガラス６と導光ブラケット部材９との構成をかかる部位に適用される。
【図面の簡単な説明】
【００７４】
【図１】実施の形態として示すパネル型表示装置の正面図である。
【図２】パネル型表示装置の背面図である。
【図３】パネル型表示装置の平面図である。
【図４】パネル型表示装置の要部拡大平面図である。
【図５】パネル型表示装置の主たる構成を説明するための前面側からみた分解斜視図である。
【図６】同側からみた分解斜視図である。
【図７】上辺部の外装材を構成する第１化粧部材を示し、同図（Ａ）は正面図、同図（Ｂ）は平面図、同図（Ｃ）は拡大縦断面図である。
【図８】下辺部の外装材を構成する第２化粧部材を示し、同図（Ａ）は平面図、同図（Ｂ）は正面図、同図（Ｃ）及び同図（Ｄ）は拡大縦断面図である。
【図９】導光ブラケット部材を示し、同図（Ａ）は背面図、同図（Ｂ）は側面図である。
【図１０】ブラケット部材を示し、同図（Ａ）は正面図、同図（Ｂ）は平面図、同図（Ｃ）は拡大側面図である。
【図１１】下辺部位の取付構造を説明する要部縦断面図である。
【図１２】同取付構造を拡大して示した要部縦断面図である。
【図１３】光学表示部の構成を説明する分解斜視図である。
【図１４】光学表示部を説明する要部縦断面図である。
【図１５】従来のパネル型表示装置の要部縦断面図である。
【符号の説明】
【００７５】
１  パネル型表示装置、２  カラー・プラズマ・ディスプレィ・パネル、３  表示装置本体部、４  スピーカボックス、６  前面ガラス、６ａ  目隠し枠部、７  第１化粧フレーム部材、８  第２化粧フレーム部材、９  導光ブラケット部材、１０  透明領域、１１  光学表示部、１２  第１ブラケット部材、１３  第２ブラケット部材、１４  嵌合溝、１５  第３ブラケット部材、１６  第４ブラケット部材、１７  バックカバー部材、１８  基板ブラケット部材、１９  パネル部、２０  フィルタパネル、２１  駆動回路部、２４  ボックス本体部、２９  電磁遮蔽層、３０  天井部、３１  前面壁部、３２  保持壁部、３３  嵌合溝、３７  底面部、３８  前面壁部、３９  保持壁部、４０  嵌合溝、４３  発光素子ユニット、４４  取付ボス、４５，４６  補強リブ、４７  組付部、４８  ガイド凹部、４９  反射凹部、５３  反射面、５４  基部、５５  保持部、５６  第１取付部、５７  第２取付部、５８  外周壁部、５９  取付フランジ部、６０  突当て端部、６２  取付片部、６３  取付部、６５  基板、６６  ホルダ、６７  発光ダイオード
【図１】
2005070660.tif 000003
【図２】
2005070660.tif 000004
【図３】
2005070660.tif 000005
【図４】
2005070660.tif 000006
【図５】
2005070660.tif 000007
【図６】
2005070660.tif 000008
【図７】
2005070660.tif 000009
【図８】
2005070660.tif 000010
【図９】
2005070660.tif 000011
【図１０】
2005070660.tif 000012
【図１１】
2005070660.tif 000013
【図１２】
2005070660.tif 000014
【図１３】
2005070660.tif 000015
【図１４】
2005070660.tif 000016
【図１５】
2005070660.tif 000017